(57)【要約】【課題】デッドボルトの係合部と回転部材の位置関係を見直すことで、全体のコンパクト化を可能とした施解錠装置を実現する。【解決手段】  ダイヤル錠６の解錠操作により回動可能な回転部材１０と、この回転部材１０と一体に回転する駆動腕１０ａと、施錠位置と解錠位置の間でスライド可能であり一対の係合部３ｂ１、３ｂ２をスライド方向と交差する方向に突出させて駆動腕１０ａの移動路上に係合可能に位置づけたデッドボルト３とを備え、デッドボルト３のスライド動作により施錠操作を行う施解錠装置Ａにおいて、デッドボルト３の一方の係合部である第２係合部３ｂ２を回転部材１０とオーバーラップするようにその側方位置まで延設することとした。【選択図】図３
2019127801.tif 000002
【特許請求の範囲】
【請求項１】
錠前の解錠操作により回動可能な回転部材と、この回転部材と一体に回転する駆動腕と、施錠位置と解錠位置の間でスライド可能であり少なくとも一対の係合部をスライド方向と交差する方向に突出させて前記駆動腕の移動路上に係合可能に位置づけたデッドボルトとを備え、デッドボルトのスライド動作により施錠操作を行う施解錠装置であって、
前記デッドボルトの係合部の少なくとも一方を前記回転部材とオーバーラップするようにその側方位置まで延設したことを特徴とする施解錠装置。
【請求項２】
一対の係合部の間に形成される凹部の溝底は、駆動腕の先端の移動軌跡にほぼ沿った位置に配されていることを特徴とする請求項１に記載の施解錠装置。
【請求項３】
前記一対の係合部を異なる長さとし、短い方の係合部を施錠時または解錠時に回転部材の周面に当接若しくは近接して対向する位置に配置したことを特徴とする請求項１又は２に記載の施解錠装置。
【請求項４】
前記一対の係合部を回転部材を両側から挟むように両側方位置にまで延設したことを特徴とする請求項１又は２に記載の施解錠装置。
【請求項５】
前記回転部材は、デッドボルトの一方の係合部が駆動腕に係合する時に他方の係合部を収容する切欠きを有することを特徴とする請求項１〜４の何れかに記載の施解錠装置。
【請求項６】
前記錠前はデッドボルトの係合部と回転部材を覆う錠前ケースを有し、錠前ケースはそのスライド動作を案内する案内部を有し、前記デッドボルトは前記案内部に案内される位置に配置されることを特徴とする請求項１〜５のいずれかに記載の施解錠装置。
【請求項７】
請求項１〜６のいずれかに記載の施解錠装置を扉と収納家具本体との間に適用したことを特徴とする収納家具。
【発明の詳細な説明】
【技術分野】
【０００１】
本発明は、開閉扉等の施錠に係るデッドボルトを備える施解錠装置および収納家具に関するものである。
【背景技術】
【０００２】
従来、貴重品を収納する金庫、重要物を収納する収納家具等の開閉扉にあっては、施錠に係るデッドボルトを備える施解錠装置が多用されている。この施解錠装置としては、部品点数の削減化や構成部材の形態のシンプル化により、製造コストの低減、組み立て作業の効率を図ることから特許文献１に記載の施解錠機構が知られている。
【０００３】
この施解錠機構１０８は、図１４に示すように戸枠１０２に設けられた係合穴部１０２ａと、この係合穴部１０２ａに係合するデッドボルト１０３とを有している。前記デッドボルト１０３は開閉扉１０１側に設けられた錠前ケース１０７に水平方向にスライドできるように保持されており、このデッドボルト１０３のスライド動作により開閉扉１０１の施解錠が可能となっている。また、前記デッドボルト１０３の一端には板状部が形成され、この板状部の上部側には所定間隔をおいて上方に突出する第１係合部１０３ｂ１と第２係合部１０３ｂ２とが設けられている。これら第１係合部１０３ｂ１と第２係合部１０３ｂ２はほぼ同じ高さに位置しており、両係合部１０３ｂ１，１０３ｂ２間には駆動腕１２１ａが位置する凹部１０３ｄが形成されている。
【０００４】
前記錠前ケース１０７には、開閉扉１０１に取り付けられたダイヤル錠（図示せず）の照合、またはキーシリンダ（図示せず）とキー（図示せず）との照合等により回転する回転部材１２１ａを持つダルマ１２１が受座部材１２１ｂを介して取付けられている。前記回転部材１２１ａには、その周壁から外方に延びる駆動腕１２１ｃが設けられており、この駆動腕１２１ｃの先端は前記デッドボルト１０３の凹部１０３ｄにあって第１係合部１０３ｂ１および第２係合部１０３ｂ２と係合するように構成されている。
【０００５】
また、前記駆動腕１２１ｃはダルマ駆動ばね１２１ｄにより第１係合部１０３ｂ１に当接するように付勢されており、デッドボルト１０３が戸枠１０２の係合穴部１０２ａに位置できるように構成されている。前記駆動腕１２１ｃはダルマ１２１の嵌合部１２１ａの回転（図中、左回転）にともなって、第１係合部１０３ｂ１から離れて第２係合部１０３ｂ２に当接しながら回転すると、デッドボルト１０３をスライドさせ（図中、右方）、デッドボルト１０３を前記係合穴部１０２ａから離脱させることができる。
【先行技術文献】
【特許文献】
【０００６】
【特許文献１】特開２００２−２５０１６０号公報
【発明の開示】
【発明が解決しようとする課題】
【０００７】
このように施解錠機構１０８は、錠前の解錠操作により回動可能な回転部材１２１ａと、回転部材１２１ａと一体に回転する駆動腕１２１ｃと、一対の係合部１０３ｂ１、１０３ｂ２をスライド方向と交差する方向に突出させこれらの係合部１０３ｂ１、１０３ｂ２を駆動腕１２１ｃの移動路上に位置づけてこれと係合可能としたデッドボルト１０３とを備え、デッドボルト１０３のスライド動作により施錠操作を行うものである。
【０００８】
しかしながら、回転部材１２１ａの周面からデッドボルト１０３の係合部１０３ｂ１、１０３ｂ２までの間が距離Ｄだけ離れており、その分、回転部材１２１ａの回転中心ｍからデッドボルト１０３の係合部１０３ｂ１、１０３ｂ２の先端までの垂直距離Ｌ３が大きく、一対の係合部１０３ｂ１、１０３ｂ２の間に形成される凹部１０３ｄの溝底から回転部材１２１ａの回転中心ｍまでの距離Ｌ４も大きくなっている。このため、回転部材１２１ａとデッドボルト１０３の組み込み位置が上下方向に離間し、駆動腕１２１ｃも係合部１０３ｂ１、１０３ｂ２に届くように寸法が長くなって、全体として施解錠装置１０８の上下方向のコンパクトを阻む要因となっている。
【０００９】
本発明は、このような課題に着目し、デッドボルトの係合部と回転部材の位置関係を見直すことで、全体のコンパクト化を可能とした施解錠装置を実現することを目的としている。
【課題を解決するための手段】
【００１０】
本発明は、かかる目的を達成するために、次のような手段を講じたものである。
【００１１】
すなわち、本発明の施解錠装置は、錠前の解錠操作により回動可能な回転部材と、この回転部材と一体に回転する駆動腕と、施錠位置と解錠位置の間でスライド可能であり少なくとも一対の係合部をスライド方向と交差する方向に突出させて前記駆動腕の移動路上に係合可能に位置づけたデッドボルトとを備え、デッドボルトのスライド動作により施錠操作を行うものであって、前記デッドボルトの係合部の少なくとも一方を前記回転部材とオーバーラップするようにその側方位置まで延設したことを特徴とする。
【００１２】
このように構成すれば、係合部と回転部材のオーバーラップ分だけ、デッドボルトのスライド方向と交差する方向に沿ったデッドボルトの係合部と回転部材の距離を近づけることができる。このため、同方向への施解錠装置のコンパクト化を図ることが可能となる。
【００１３】
施解錠装置の一層のコンパクト化を図るためには、一対の係合部の間に形成される凹部の溝底は、駆動腕の先端の移動軌跡にほぼ沿った位置に配されていることが望ましい。
【００１４】
デッドボルトのスライド方向に沿った施解錠装置の構成のコンパクト化を図るためには、前記一対の係合部を異なる長さとし、短い方の係合部を施錠時または解錠時に回転部材の周面に当接若しくは近接して対向する位置に配置していることが望ましい。
【００１５】
勿論、前記一対の係合部を回転部材を両側から挟むように両側方位置にまで延設して構成することもできる。
【００１６】
デッドボルトのスライド方向に沿った一対の係合部の距離を縮めるためには、前記回転部材は、デッドボルトの一方の係合部が駆動腕に係合する時に他方の係合部を収容する切欠きを有することが望ましい。
【００１７】
デッドボルトの作動時における異音の発生を防止し、スムーズなスライド動作を確保するためには、前記錠前はデッドボルトの係合部と回転部材とを覆う錠前ケースを有し、錠前ケースはそのスライド動作を案内する案内部を有し、前記デッドボルトは前記案内部に案内される位置に配置されることが望ましい。
【００１８】
本発明は、以上のような構成であるから、かかる施解錠装置を扉と収納家具本体との間に適用して収納家具を構成することが極めて有効である。
【発明の効果】
【００１９】
以上説明した本発明によれば、錠前の解錠操作に係るデッドボルトの係合部の少なくとも一方を、これを駆動する駆動腕を回動させる回転部材とオーバーラップさせるだけで、デッドボルトと回転部材の距離を縮めて施解錠装置のコンパクト化を図ることができる、優れた施解錠装置および収納家具を提供することができる。
【図面の簡単な説明】
【００２０】
【図１】本発明の一実施形態に係る開閉扉の内部構造を前面側から見た部分斜視図。
【図２】同開閉扉の内部構造を背面側から見た部分斜視図。
【図３】図２を背面側から見た縦断面図。
【図４】同実施形態に係る施解錠装置の構成および動作説明図。
【図５】同施解錠装置の動作説明図。
【図６】同施解錠装置の動作説明図。
【図７】同施解錠装置の動作説明図。
【図８】同施解錠装置の動作説明図。
【図９】同施解錠装置の施錠状態を説明する要部斜視図。
【図１０】本発明の変形例を示す図。
【図１１】本発明の他の変形例を示す図。
【図１２】本発明のさらに他の変形例を示す図。
【図１３】本発明の上記以外の変形例を示す図。
【図１４】従来例を説明するための要部断面図。
【発明を実施するための形態】
【００２１】
以下、本発明の一実施形態を、図面を参照して説明する。
【００２２】
この施解錠装置Ａは、図１ないし図３に示すように、ロッカー等の収納家具本体Ｂの枠体２と、この収納家具本体Ｂの開口内に開閉自在に取り付けられた開閉扉１とからなる収納家具に適用される。
【００２３】
前記開閉扉１は、扉本体１ａと、施錠位置と解錠位置の間でスライド可能なデッドボルト３の一部を案内する案内部材４が付設される補強枠部５と、これらの上、下面、両側面および前面を覆う化粧パネル１ｂとを具備している。前記扉本体１ａと化粧パネル１ｂの間には錠前の一例であるダイヤル錠６を収納できる空間が形成されており、化粧パネル１ｂにはダイヤル錠６の操作面６ａを露出させる切欠窓（図示せず）が設けられている。
【００２４】
前記扉本体１ａには、その上部側面近くに略矩形状の嵌込み穴１ａａが設けられており、この嵌込み穴１ａａの内側領域にダイヤル錠６を含む施解錠装置Ａの機構部分が収められている。そして、その機構部分の背面を覆うように錠前ケース７が嵌込み穴１ａａに嵌め込まれている。前記錠前ケース７の一部を扉本体１ａに平行な面に沿って破断して背面から見た図３の縦断面図に示されるように、施解錠装置Ａの一部を構成するダイヤル錠６には、当該ダイヤル錠６の回転操作部９（図１参照）の回転操作を受けて回転する回転部材１０が設けられるとともに、この回転部材１０と係合可能な位置に係合部３ｂ１、３ｂ２を有するデッドボルト３が配置されている。デッドボルト３は、施解錠端を開閉扉１から突没して収納家具本体Ｂの枠体２と係合／解除可能な部位に位置づけられている。回転部材１０には駆動腕１０ａが突出して設けられており、前記デッドボルト３の係合部３ｂ１、３ｂ２はスライド方向と略直交する方向に突出して、先端を駆動腕１０ａの移動路上に位置づけられている。
【００２５】
前記ダイヤル錠６の構造は、一般的なもので詳述しないが、前面側には４桁のダイヤル６ｂおよび回転操作部９を備える操作面６ａが、背面側の錠前ケース７を開けた位置には照合番号設定部（図示せず）が設けられて、ダイヤル６ｂの番号が予め設定された照合番号と一致する時のみ回転部材１０の回転を許容するとともに照合させたダイヤル６ｂをリセットする機能が備わっている。回転部材１０に設けられた図中符号１０ｂａで示すものは、施錠時にダイヤル錠６からロック部材を係合させて回転部材１０の回転を禁止する際に利用される凹みである。
【００２６】
図３において二点鎖線で示す枠体２の内縁２ｘは施解錠の境界位置であり、デッドボルト３の先端がこの境界位置２ｘを超えて突出すると、図９に示すようにデッドボルト３の先端が枠体２の対応位置に設けたデッドボルト係合穴部２ａに差し込まれて、開閉扉１はロック状態となる。図４は解錠時の状態を示し、この位置から回転操作部９の回転操作に伴って、図５、図６、図７のように回転部材１０が回転するにつれ、駆動腕１０ａがデッドボルト３の第１係合部３ｂ１を駆動することでデッドボルト３の先端が突出し、図８に示すように枠体２の内縁２ｘを超えてデッドボルト係合穴部２ａに差し込まれた段階で施錠位置となる。
【００２７】
この状態でダイヤル錠６がダイヤル６ｂを通じて照合されると、回転部材１０に対するロック状態が解除され、ロック状態の解除に伴って一旦ダイヤル６ｂに対して付与した照合番号がゼロリセットされるようになっている。ダイヤル錠６には、回転部材１０を図８の状態から図４の状態に戻す図示しない戻りバネが内設されている。これによって解錠時には、回転部材１０の駆動腕１０ａがデッドボルト３の第２係合部３ｂ２を駆動して、デッドボルト３を図８の施錠位置から図４の解錠位置まで引き戻す動作が行われる。
【００２８】
このような構成において本実施形態は、デッドボルト４の形態や、デッドボルト４と回転部材１０の位置関係等を改良工夫することで、施解錠装置Ａの上下方向へのコンパクト化とデッドボルト３のスライド方向に沿ったコンパクト化を図っている。
【００２９】
以下、デッドボルト３の構成や取付状態、デッドボルト３と回転部材１０の位置関係や相互作用等を含めて説明する。
【００３０】
デッドボルト３は、水平部３ａと垂直部３ｂとからなる略Ｔ字形状をなしており、このデッドボルト３の水平部３ａの基端側の上下両縁が第１案内部７ａによって案内され、中央部に設けた案内穴３ｃが第２案内部７ｂによって案内され、先端側の上下両縁が第３案内部７ｃによって案内されている。第１案内部７ａおよび第２案内部７ｂは錠前カバー７に一体に設けられており、錠前カバー７は樹脂により一体成型されている。また、第３案内部７ｃは補強枠５に取り付けた樹脂製の案内部材４の一部に形成されている。この第３案内部７ｃも樹脂カバー７に一体成型しても構わない。
【００３１】
すなわち、これらによりデッドボルト３は片持ち状態となることを防止されて、水平方向にスライド動作できるように構成されている。これによりデッドボルト３は、水平部３ａを支持され、垂直部３ｂは単に垂下させただけの、いわゆる宙吊り状態となっているが、各案内部７ａ、７ｂ、７ｃによって上下方向への位置ずれが規制されている。デッドボルト３のスライド範囲は案内部７ｂによって規制されている。
【００３２】
このように、各案内部材７ａ〜７ｃを樹脂製とすることで、デッドボルト３のスライド動作に際して音鳴りが発生するようなことはなく、デッドボルト３のスムーズなスライド動作が確保される。
【００３３】
前記デッドボルト３の垂直部３ｂは、長さの異なる２個の係合部、すなわち短い方の第１係合部３ｂ１と長い方の第２係合部３ｂ２を有し、これらの係合部３ｂ１、３ｂ２の間に凹部３ｄが形成されている。前記凹部３ｄ内には、前述した回転部材１０の駆動腕１０ａが位置し、第１係合部３ｂ１および第２係合部３ｂ２が駆動腕１０ａの移動路上に位置することによって、交互に駆動腕１０ａに係合する関係が構成されている。また、第１係合部３ｂ１は回転部材１０の周面に当接もしくは極接近して対向する位置に配置されており、その両側面は直立壁面３ｂ１ａとなっている。これにより、図４〜図６の動作中、デッドボルトの第１係合部３ｂ１が常に回転部材１０の周面に案内され得る位置に配される。
【００３４】
前記第２係合部３ｂ２は、回転部材１０に対して最も高い位置に引くことのできる水平接線Ｔ（図４参照）を超えて下方に延びており、上下方向に沿って第２係合部３ｂ２は回転部材１０とオーバーラップしてその側方位置まで延設されている。
【００３５】
前述したように、施錠動作時には駆動腕１０ａが図８に示す略垂直な姿勢に向かって回動しつつ第１係合部３ｂ１を付勢し、解除動作時には図４に示す略水平な姿勢に向かって回動しつつ駆動腕１０ａが第２係合部３ｂ２を付勢する。駆動腕１０ａが略垂直となる姿勢にある時（図８参照）、すなわち第１係合部３ｂ１が駆動腕１０ａに係合する時、第２係合部３ｂ２と回転部材１０との干渉を避けるべく、回転部材１０には切欠き１０ｂｂが設けられ、第２係合部３ｂ２はこの切欠き１０ｂｂ内に位置づけられる。
【００３６】
図４に示すように前記第２係合部３ｂ２は、外側に直立壁部３ｂ２ａを有し、凹部３ｄ側には駆動腕１０ａの移動路に入り込んで位置する直立壁部３ｂ２ａとこの直立壁部３ｂ２ａに連なりかつその位置で駆動腕１０ａを案内する部分円弧壁部３ｂ２ｂとこれに連なる小直立壁部３ｂ２ｃとを有し、直立壁部３ｂ２ａは凹部３ｄの溝底３ｄ１に連なっている。前記直立壁部３ｂ２ａは図示しないが、傾斜壁面であってもよい。
【００３７】
前記部分円弧壁部３ｂ２ｂの円弧は前記駆動腕１０ａが図４の解錠位置で回動する際の最先端の軌跡と略一致するように形成されており、施錠時に駆動腕１０ａがこの部分円弧壁部３ｂ２ｂを通過する際には、デッドボルト３がその位置で停止するように構成され、解錠時にデッドボルト３が駆動腕１０から付勢を受けて図８の施錠位置から図４の解錠位置に移動する際には受圧面として機能するものである。
【００３８】
凹部３ｄの溝底３ｄ１は、図７、図８等に示されるように、駆動腕１０ａの先端の移動軌跡にほぼ沿ったラインとなるような位置および形状に配されている。これにより、駆動腕１０ａは凹部３ｄ内を極力クリアランスがない状態で回転することができる。
【００３９】
つまり、図４において回転部材１０の周面からデッドボルト３の第２係合部３ｂ２の先端までの垂直距離Ｄ２がマイナス、すなわちオーバーラップした状態となり、回転部材１０の周面からデッドボルト３の第１係合部３ｂ１の先端までの距離Ｄ１が略０となっている。そしてその分、回転部材１０の回転中心ｍからデッドボルト３の第１、第２係合部３ｂ１、３ｂ２の先端までの垂直距離Ｌ１１、Ｌ１２も小さく、一対の係合部３ｂ１、３ｂ２の間に形成される凹部３ｄの溝底３ｄ１から回転部材１０の回転中心ｍまでの垂直距離Ｌ２も小さくなっている。すなわち、図１４の構造と比べると、デッドボルト３の係合部３ｂ１、３ｂ２と回転部材１０との組み込み位置が上下方向に近づき、駆動腕１０ａが短くても当該駆動腕１０ａが係合部３ｂ１、３ｂ２に届く構造であり、全体として施解錠装置Ａの上下方向のコンパクトが図れたものとなっている。
【００４０】
図示例ではデッドボルト３の垂直部３ｂのうち凹部３ｄから水平部３ａまでの領域Ｚは動力伝達部として機能しているだけであるため、この部分は必要に応じて縮めることができ、更なるコンパクト化を図ることも可能となっている。
【００４１】
以上のように、本実施形態の施解錠装置Ａは、錠前であるダイヤル錠６の解錠操作により回動可能な回転部材１０と、この回転部材１０と一体に回転する駆動腕１０ａと、施錠位置と解錠位置の間でスライド可能であり少なくとも一対の係合部３ｂ１、３ｂ２をスライド方向と交差する方向に突出させて駆動腕１０ａの移動路上に係合可能に位置づけたデッドボルト３とを備え、デッドボルト３のスライド動作により施錠操作を行うものである。そして、デッドボルト３の一方の係合部である第２係合部３ｂ２を回転部材１０とオーバーラップするようにその側方位置まで延設したことを特徴としている。
【００４２】
このように構成することで、第２係合部３ｂ２と回転部材１０のオーバーラップ分だけ、デッドボルト１０のスライド方向と略直交する方向に沿ったデッドボルト３の係合部３ｂ１、３ｂ２と回転部材１０の距離を近づけることができる。このため、同方向への施解錠装置Ａのコンパクト化を図ることが可能になる。
【００４３】
この場合、一対の係合部３ｂ１、３ｂ２の間に形成される凹部３ｄの溝底３ｄ１は、駆動腕１０ａの先端の移動軌跡にほぼ沿った位置に配されているので、例えば一対の係合部３ｂ１、３ｂ２の間に形成される凹部３ｄの溝底３ｄ１が必要以上に深い構造のものに比べて、回転部材１０と係合部の３ｂ１、３ｂ２との係合構造を極力小さくすることができ、施解錠装置Ａの一層のコンパクト化を図ることができる。
【００４４】
特に、一対の係合部３ｂ１、３ｂ２を異なる長さとし、短い方の係合部である第１係合部３ｂ１を施錠時または解錠時に回転部材１０の周面に当接若しくは近接して対向する位置に配置しており、一対の係合部３ｂ１、３ｂ２の離間距離を小さくすることができるので、スライド方向への施解錠装置Ａの構成のコンパクト化を図ることができる。特に、短い方の係合部３ｂ１を施錠時または解錠時に回転部材１０の周面に当接若しくは近接して対向させておけば、デッドボルト３がこれにガイドされるため、ガタ付きが抑えられて動作の安定化に資することになる。
【００４５】
また、回転部材１０は、デッドボルト３の一方の係合部である第１係合部３ｂ１が駆動腕１０ａに係合する時に他方の係合部である第２係合部３ｂ２を収容する切欠き１０ｂｂを有しており、デッドボルト３のスライド方向に沿った一対の係合部３ｂ１、３ｂ２の距離を更に縮めることができるので、同方向へのコンパクト化に資するものとなる。
【００４６】
さらに、錠前であるダイヤル錠６はデッドボルト３の係合部３ｂ１、３ｂ２と回転部材１０を覆う錠前ケース７を有し、錠前ケース７はそのスライド動作を案内する案内部７ａ、７ｂ等を有し、デッドボルト３は案内部７ａ、７ｂ等に案内される位置に配置されており、錠前ケース７は樹脂により構成されているため、デッドボルト３の作動時における異音の発生を防止し、スムーズなスライド動作を確保することができる。
【００４７】
このため、この施解錠装置Ａを開閉扉１と収納家具本体２との間に適用して収納家具を構成する際に、組み付けをコンパクトに行うことができ、組み付け自由度も向上したものになる。
【００４８】
以上、本発明の一実施形態について説明したが、各部の具体的な構成は、上述した実施形態のみに限定されるものではない。
【００４９】
例えば、第１係合部や第２係合部の形状は、上記以外に種々の形態が可能である。たとえば、図１０に示すものは、第２係合部３ｂ２が垂直壁部３ｂ２ａと部分円弧壁部３ｂ２ｂのみから構成されて図３の垂直壁部３ｂ２ｃに相当する部分を有しない構成となっており、図１１に示すものでは、第２係合部３ｂ２の垂直壁部３ｂ２ａがわずかで大半を部分円弧壁部３ｂ２ｂが占める構成となっている。このように第２係合部３ｂ２の形状は種々に変形が可能である。第１係合部３ｂ１についても同様である。
【００５０】
また、図１２に示すものは、前記デッドボルト３の第１、第２係合部３ｂ１、３ｂ２をともに回転部材１０を両側から挟むように両側方位置にまで延設して回転部材１０とオーバーラップさせたものである。この場合、第１、第２係合部３ｂ１、３ｂ２の長さは必ずしも異ならせる必要はなく、図示例ではほぼ等しく設定されている。
【００５１】
このようにしても、第１、第２係合部３ｂ１、３ｂ２と回転部材１０のオーバーラップ分だけ、デッドボルト３のスライド方向と略直交する方向に沿ったデッドボルト３と回転部材１０の距離を近づけることができる。このため、同方向への施解錠装置のコンパクト化を図ることが可能となる。この場合、第２係合部３ｂ２の形状も図示例では垂直壁部３ｂ２ａのみによって構成されており、ここでも第２係合部３ｂ２の形状は任意に設定できることを示している。第１係合部３ｂ１についても同様である。
【００５２】
なお、この場合には第１、第２係合部３ｂ１、３ｂ２間の距離が大きくなることを考えれば、前記実施形態のように一対の係合部３ｂ１、３ｂ２を異なる長さとし、短い方の係合部３ｂ１を施錠時または解錠時に回転部材１０の周面に当接若しくは近接して対向する位置に配置しておくことが有効となる。
【００５３】
また、図１２の例では回転部材１０の駆動腕１０ａは１つであり、第１係合部３ｂ１の付勢と第２係合部３ｂ２の付勢の両方の役割を兼ねているが、回転方向に変位した位置に駆動腕１０ａをもう１つ設け、第１係合部３ｂ１の付勢と第２係合部３ｂ２の付勢を各駆動腕１０ａ、１０ａに分担させれば、回転部材１０の回転角度を半減させることも可能である。
【００５４】
図１３は、図１２と同様の第２係合部３ｂ２の形状を前記実施形態のデッドボルト３に採用した例を示している。
【００５５】
その他の構成も、本発明の趣旨を逸脱しない範囲で種々変形が可能である。
【符号の説明】
【００５６】
１…開閉扉
３…デッドボルト
３ｂ１…第１係合部
３ｂ２…第２係合部
３ｄ…凹部
３ｄ１…溝底
７…錠前ケース
７ａ、７ｂ、７ｃ…案内部
１０…回転部材
１０ａ…駆動腕
１０ｂｂ…切欠き
Ａ…施解錠装置
Ｂ…収納家具本体
【図１】
2019127801.tif 000003
【図２】
2019127801.tif 000004
【図３】
2019127801.tif 000005
【図４】
2019127801.tif 000006
【図５】
2019127801.tif 000007
【図６】
2019127801.tif 000008
【図７】
2019127801.tif 000009
【図８】
2019127801.tif 000010
【図９】
2019127801.tif 000011
【図１０】
2019127801.tif 000012
【図１１】
2019127801.tif 000013
【図１２】
2019127801.tif 000014
【図１３】
2019127801.tif 000015
【図１４】
2019127801.tif 000016